(57)【要約】【課題】  バルコニー用手摺り支柱を短い工期で安価にして簡単安全に、また、水平強度を増加する状態で取り付けることができるようにする。【解決手段】  パラペットの立ち上げ部２の上面に、その長手方向に所定間隔を隔てて支柱支持穴１０の穿設し、支柱支持穴１０…それぞれ内に接着固定剤（エポキシ樹脂系接着剤）１１を注入する。しかる後に、支柱支持穴１０…それぞれ内に支柱支持部材８を嵌入し、レベル調整用アジャストボルト１８により、支柱支持部材８のレベルと姿勢を調整し、全体のレベル合わせを行って仮固定する。その仮固定状態で所定時間放置して接着固定剤１１を硬化させ、バルコニー用手摺り支柱３…をパラペット１の立ち上げ部２に容易に所定姿勢で立設してバルコニー用手摺りを設置する。【選択図】        図４
2005090041.tif 000002
【特許請求の範囲】
【請求項１】
バルコニーのパラペットの立ち上げ部の所定箇所に支柱支持穴を穿ち、その支柱支持穴内に接着固定剤を注入するとともに、バルコニー用手摺り支柱を支持する支柱支持部材を嵌入し、前記支柱支持部材にネジ込みにより螺進可能に螺合させたレベル調整用アジャストボルトによりレベル合わせと姿勢調整とを行って前記支柱支持部材を仮固定して前記接着固定剤を硬化させることを特徴とするバルコニー用手摺り支柱の取り付け方法。
【請求項２】
バルコニーのパラペットの立ち上げ部に設けられて接着固定剤が注入された支柱支持穴内に、バルコニー用手摺り支柱を支持する支柱支持部材を嵌入し、前記支柱支持部材の前記支柱支持穴を間にした複数箇所に、前記支柱支持部材のレベルと姿勢を調整するレベル調整用アジャストボルトをネジ込みにより螺進可能に螺合させてあることを特徴とするバルコニー用手摺り支柱の取り付け構造。
【発明の詳細な説明】
【技術分野】
【０００１】
本発明は、集合住宅のベランダや踊り場などのバルコニーに設けられるバルコニー用手摺りの支柱を取り付けるバルコニー用手摺り支柱の取り付け方法および取り付け構造に関する。
【背景技術】
【０００２】
従来において、バルコニー用手摺り支柱を躯体に取り付ける場合、先ず、躯体施工時に、バルコニー用手摺り支柱の取り付け予定箇所に相当する箇所にコア材を型枠として穴を設けるとともに、そこにアンカープレートを予め設置しておく。
【０００３】
そして、躯体施工後に、バルコニー用手摺り支柱の下端をアンカープレートに溶接によって一体連接するとともに、バルコニー用手摺り支柱の足元と穴との隙間部分にモルタルを詰めていた。
【０００４】
ところが、上述のような従来方法では、躯体施工の際のコア材およびアンカープレートの設置と、躯体施工後の溶接、ならびに、モルタル詰めといったように、作業ならびに管理が施工工程の多岐にわたり、品質管理を行いづらい上に複数種の職人が必要で、工期ならびに工費が増大する問題があった。
【０００５】
また、バルコニー用手摺り支柱を取り付ける箇所は、跳ね出しスラブの外端縁の細い幅のパラペットの立ち上げ部であり、そのような細い部分において、周囲に溶接のための隙間を確保するためには、コア材で比較的大きな穴を設けなければならず、躯体コンクリートに欠損を生じやすい問題があった。
【０００６】
そこで、上述のような溶接によらずにバルコニー用手摺り支柱を取り付けるために、本発明者は、先に、次のような技術を提案した。
【０００７】
支持台を昇降部材を介して固定台に取り付けた柵用仮固定具を用い、ネジ軸の回転により、対向片と挟持プレートとにより立ち上げ部を挟持して固定台を固定させ、その固定台に昇降部材を介して支持台を取り付けておく。立ち上げ部の所定箇所に支柱支持穴を形成し、その支柱支持穴に接着固定剤を注入するとともに支柱支持部材の下部に連接したボルト部材を嵌入し、かつ、支柱支持部材どうしを連結する横材を前述の支持台に受け止め支持させ、支持台の姿勢を調整して、横材を支持台に所定姿勢で仮固定する。接着固定剤が硬化した後に、支持台を下降して柵用仮固定具を撤去する（例えば、特許文献１参照）。
【特許文献１】特許第２６９０２６５号（図２および図３）
【０００８】
また、支柱支持部材として、ボルトの上端にバルコニー用手摺り支柱を一体的に取り付けるプレートを設けて構成したものにおいて、立ち上げ部の上面とプレートの下面との間に、楔状の木片やジャッキを介装するとか、ガムテープなどにより仮固定ことも行われている。
【発明の開示】
【発明が解決しようとする課題】
【０００９】
しかしながら、柵用仮固定具を用いる場合、柵用仮固定具を準備しなければならないうえに、パラペットの立ち上げ部に対する柵用仮固定具の取り付けと撤去とが必要であり、バルコニー用手摺り支柱の取り付けに手間を要し、集合住宅のように多数の箇所でバルコニー用手摺り支柱を取り付ける場合に、工期ならびに工費が増大する不都合があり、更には、躯体の外周縁であるパラペットの立ち上げ部で柵用仮固定具の取り付けと撤去とを行うため、その作業時に、誤って落下させ、対人事故や他物の破損を招く危険性があった。
【００１０】
また、楔状の木片やジャッキを介装する場合も、立ち上げ部の上面とプレートの下面との間に対する設置と取り外しとが必要であり、上述の場合と同様に落下による危険性があった。ガムテープの場合は、設置や取り外しに加え、取り外し後の処理に手間を要する問題があった。
【００１１】
また、前述従来例によれば、いずれも、バルコニー用手摺り支柱の設置後には取り外し、ボルト一本で支持するものとなり、躯体の内外に向かう水平方向での強度が低く、バルコニー用手摺り支柱自体の撓みと合わせて揺れやすいとの指摘もあり、改善の余地があった。
【００１２】
本発明は、このような事情に鑑みてなされたものであって、バルコニー用手摺り支柱を短い工期で安価にして簡単安全に、また、水平強度を増加する状態で取り付けることができるようにすることを目的とする。
【課題を解決するための手段】
【００１３】
請求項１に係る発明のバルコニー用手摺り支柱の取り付け方法は、上述のような目的を達成するために、
バルコニーのパラペットの立ち上げ部の所定箇所に支柱支持穴を穿ち、その支柱支持穴内に接着固定剤を注入するとともに、バルコニー用手摺り支柱を支持する支柱支持部材を嵌入し、前記支柱支持部材にネジ込みにより螺進可能に螺合させたレベル調整用アジャストボルトによりレベル合わせと姿勢調整とを行って前記支柱支持部材を仮固定して前記接着固定剤を硬化させることを特徴としている。
【００１４】
（作用・効果）
請求項１に係る発明のバルコニー用手摺り支柱の取り付け方法の構成によれば、躯体施工後において、支柱支持穴の形成と、接着固定剤の注入と、レベル調整用アジャストボルトによる調整と、接着固定剤による接着とによって支柱支持部材を躯体に取り付けることができる。
【００１５】
したがって、安価で極めて簡単な構成のレベル調整用アジャストボルトを設けるだけで、従来のような立ち上げ部に固定するための柵用仮固定具を不要にして、バルコニー用手摺り支柱の取り付け作業を躯体施工後に行うことができ、柵用仮固定具の取り付けや撤去といった面倒な作業をせずに済み、バルコニー用手摺り支柱を短い工期で安価にして取り付けることができる。
また、レベル調整用アジャストボルトを支柱支持部材に螺合させて一体化させてあるから、従来のような設置や取り外しの際の落下による危険性を回避できて安全性を向上でき、更に、設置後もレベル調整用アジャストボルトで支柱支持部材を支持するから、ボルトにかかる応力を低減して、躯体の内外に向かう水平方向での強度を高くできる。
【００１６】
また、請求項２に係る発明のバルコニー用手摺り支柱の取り付け構造は、前述のような目的を達成するために、
バルコニーのパラペットの立ち上げ部に設けられて接着固定剤が注入された支柱支持穴内に、バルコニー用手摺り支柱を支持する支柱支持部材を嵌入し、前記支柱支持部材の前記支柱支持穴を間にした複数箇所に、前記支柱支持部材のレベルと姿勢を調整するレベル調整用アジャストボルトをネジ込みにより螺進可能に螺合させて構成する。
【００１７】
（作用・効果）
請求項２に係る発明のバルコニー用手摺り支柱の取り付け構造の構成によれば、立ち上げ部に形成されて接着固定剤が注入された支柱支持穴に支柱支持部材を嵌入するときに、複数のレベル調整用アジャストボルトそれぞれを調整することにより、支柱支持部材の立ち上げ部の上面に対する高さと姿勢の両方を容易に調整し、接着固定剤により支柱支持部材を躯体に取り付けることができる。
【００１８】
したがって、安価で極めて簡単な構成のレベル調整用アジャストボルトを設けるだけで、従来のような立ち上げ部に固定するための柵用仮固定具を不要にして、バルコニー用手摺り支柱の取り付け作業を躯体施工後に行うことができ、柵用仮固定具の取り付けや撤去といった面倒な作業をせずに済み、バルコニー用手摺り支柱を短い工期で安価にして取り付けることができる。
しかも、支柱支持部材に支柱支持穴を間にした複数箇所にレベル調整用アジャストボルトを設けているから、支柱支持穴内への接着固定剤の注入状態を確認しながら高さと姿勢とを調整でき、その調整作業を良好に行うことができ、更に、立ち上げ部の上面が傾斜している場合に、複数のレベル調整用アジャストボルトを個別に調整して支柱支持部材の姿勢を調整でき、請求項１に係る発明のバルコニー用手摺り支柱の取り付け方法を良好に実施できる。
また、レベル調整用アジャストボルトを支柱支持部材に螺合させて一体化させてあるから、従来のような設置や取り外しの際の落下による危険性を回避できて安全性を向上でき、更に、設置後もレベル調整用アジャストボルトで支柱支持部材を支持するから、ボルトにかかる応力を低減して、躯体の内外に向かう水平方向での強度を高くできる。
【発明の効果】
【００１９】
請求項１に係る発明のバルコニー用手摺り支柱の取り付け方法の構成によれば、躯体施工後において、支柱支持穴の形成と、接着固定剤の注入と、レベル調整用アジャストボルトによる調整と、接着固定剤による接着とによって支柱支持部材を躯体に取り付けることができるから、安価で極めて簡単な構成のレベル調整用アジャストボルトを設けるだけで、従来のような立ち上げ部に固定するための柵用仮固定具を不要にして、バルコニー用手摺り支柱の取り付け作業を躯体施工後に行うことができ、柵用仮固定具の取り付けや撤去といった面倒な作業をせずに済み、バルコニー用手摺り支柱を短い工期で安価にして取り付けることができる。
また、レベル調整用アジャストボルトを支柱支持部材に螺合させて一体化させてあるから、従来のような設置や取り外しの際の落下による危険性を回避できて安全性を向上でき、更に、設置後もレベル調整用アジャストボルトで支柱支持部材を支持するから、ボルトにかかる応力を低減して、躯体の内外に向かう水平方向での強度を高くできる。
【発明を実施するための最良の形態】
【００２０】
次に、この発明の実施例について図面を参照しながら説明する。
【実施例】
【００２１】
次に、本発明のバルコニー用手摺り支柱の取り付け方法および取り付け構造の実施例を図面に基づいて詳述する。
【００２２】
先ず、バルコニー用手摺り支柱の取り付け方法および取り付け構造について説明すれば、図１のバルコニー用手摺りの概略正面図、図２のバルコニー用手摺りの縦断面図（図１のＡ−Ａ線一部切欠矢視図）、および、図３の横断面図（図１のＢ−Ｂ線一部省略拡大断面図）に示すように、バルコニーのパラペット１の立ち上げ部２に、その長手方向に所定間隔を隔ててバルコニー用手摺り支柱３が立設されている。
【００２３】
隣合う各バルコニー用手摺り支柱３，３…間に上下一対の横材４，４が取り付けられ、中央箇所では、横材４，４とバルコニー用手摺り支柱３，３で囲まれた部分に、アルミ製のガラス枠５により網入りガラス６が取り付けられ、一方、両側箇所には、横材４，４に所定間隔を隔てて格子７が連接されている。
【００２４】
前記バルコニー用手摺り支柱３…それぞれは、図２に示すように、支柱支持部材８に外嵌された鉄製の芯材９にビス（図示せず）により連結固定され、支柱支持部材８が、パラペット１の立ち上げ部２に穿たれた支柱支持穴８に嵌入されるとともに、エポキシ樹脂系の接着固定剤１１により固定され、バルコニー用手摺り支柱３の上部に連接された笠木受け１２に笠木１３が取り付けられている。
【００２５】
支柱支持部材８は、図４の要部の拡大断面図、図５の（ａ）の支柱支持部材の平面図、および、図５の（ｂ）の断面図［図５の（ａ）のＣ−Ｃ線断面図］に示すように、ボルト１４の頭部分に、外形がバルコニー用手摺り支柱３の横断面形状とほぼ等しい形状のプレート１５を溶接により一体連接して構成されている。
プレート１５には、バルコニー用手摺り支柱３を位置決め支持する棒材１６（図３参照）を通す４個の穴１７が形成されている。
【００２６】
また、取り付け状態でパラペット１の立ち上げ部２の傾斜方向で支柱支持穴１０を間にするように２個のネジ穴１８ａが形成され、そのネジ穴１８ａそれぞれにレベル調整用アジャストボルト１８がネジ込みにより螺進可能に螺合されてプレート１５に一体的に取り付けられている。これにより、バルコニー用手摺り支柱３を立設するときに、レベル調整用アジャストボルト１８を弛めたりネジ込んだりすることで、立ち上げ部２の上面を反力面として、立ち上げ部２の上面に対するプレート１５の高さと姿勢、すなわち、支柱支持部材８のレベルと姿勢を調整してバルコニー用手摺り支柱３を所定の姿勢で取り付けることができるように構成されている。
【００２７】
次に、バルコニー用手摺り支柱の取り付け方法について説明する。
先ず、図６の（ａ）の要部の斜視図に示すように、パラペット１の立ち上げ部２の上面に、その長手方向に所定間隔を隔てて、墨出しにより支柱支持穴１０の穿設箇所１９をマーキングする。
【００２８】
次いで、図６の（ｂ）の要部の平面図および図６の（ｃ）の断面図に示すように、マーキングした穿設箇所１９に、ドリル２０により所定径で所定深さ（例えば、直径20mmで深さが約60mmなど）の支柱支持穴１０を穿つ。
【００２９】
その後、図１の（ｄ）の断面図に示すように、上記支柱支持穴１０…それぞれ内に接着固定剤（エポキシ樹脂系接着剤）１１を注入する。
しかる後に、図４に示すように、支柱支持穴１０…それぞれ内に支柱支持部材８を嵌入し、レベル調整用アジャストボルト１８により、支柱支持部材８のレベルと姿勢を調整するとともに、図１および図２に示すように、笠木受け１２の長手方向両端それぞれを、アングルプレート２１とホールインアンカーボルト２２を介して躯体に連結し、全体のレベル合わせを行って仮固定する。
【００３０】
上述した仮固定状態で所定時間放置して接着固定剤１１を硬化させる。この硬化に要する放置時間は、夏や冬など、外気温度の違いによって異なるが安全を見込んで24時間以上であれば良い。
【００３１】
接着固定剤１１の硬化後に、支柱支持部材８に上下移動可能に外嵌した塩化ビニル製のハカマ２３を上方にずらし、接着不良が無いかどうか、ならびに、レベルに狂いが無いかどうかを調べて接着状態が正常であることを確認してから、ハカマ２３を立ち上げ部２の上面に接触するように降ろしてバルコニー用手摺り支柱３の支持作業を完了する。
【００３２】
接着不良があった場合や、レベルに狂いがあった場合には、ハカマ２３を上方に位置させた状態で、接着固定剤１１による接着部をトーチで加熱し、接着固定剤１１を軟化させ、再度接着させたり、また、レベルを調整してから再度接着させたりする。このとき、必要に応じて接着固定剤１１を補充しても良い。
【００３３】
以上のようにして、図１に示すように、バルコニー用手摺り支柱３…をパラペット１の立ち上げ部２に容易に所定姿勢で立設してバルコニー用手摺りＳを設置するようになっている。
【００３４】
上記実施例では、バルコニー用手摺りを取り付け支持する場合で説明したが、開放廊下に沿って設けられる手摺りとか、屋上の周囲に設けられる手摺りなどを取り付け支持する場合にも適用できる。
【図面の簡単な説明】
【００３５】
【図１】本発明に係るバルコニー用手摺り支柱の取り付け構造の実施例に係るバルコニー用手摺りの概略正面図である。
【図２】図１のＡ−Ａ線一部切欠矢視図である。
【図３】図１のＢ−Ｂ線一部省略拡大断面図である。
【図４】要部の拡大断面図である。
【図５】（ａ）は支柱支持部材の平面図、（ｂ）は、図５の（ａ）のＣ−Ｃ線断面図である。
【図６】本発明に係るバルコニー用手摺り支柱の取り付け方法の実施例を示す図であり、（ａ）は要部の斜視図、（ｂ）は要部の平面図、（ｃ）は要部の断面図、（ｄ）は要部の断面図である。
【符号の説明】
【００３６】
１…パラペット
２…立ち上げ部
３…バルコニー用手摺り支柱
８…支柱支持部材
１０…支柱支持穴
１１…接着固定剤
１８…レベル調整用アジャストボルト
Ｓ…バルコニー用手摺り
【図１】
2005090041.tif 000003
【図２】
2005090041.tif 000004
【図３】
2005090041.tif 000005
【図４】
2005090041.tif 000006
【図５】
2005090041.tif 000007
【図６】
2005090041.tif 000008